(57)【要約】【課題】カットアウト穴のスリット穴間の連結部を切断して開口穴を形成する際にバリが発生せず、据付工事時の安全性を高めることができるようにする。【解決手段】形成すべき開口穴６の輪郭形状に沿って予め複数のスリット穴７ａ〜７ｄが穿設され、スリット穴間に残存する連結部８ａ〜８ｄを介して開口穴輪郭部９とこれから切り離される開口穴閉塞部材１０とが連結されたカットアウト穴を有する板材において、スリット穴の端部エッジを、連結部を切断する工具の刃を当該端部エッジにおける開口穴輪郭側コーナー部１１に導くガイドとして構成する。【選択図】図２
2011089727.tif 000002
【特許請求の範囲】
【請求項１】
形成すべき開口穴の輪郭形状に沿って予め複数のスリット穴が穿設され、スリット穴間に残存する連結部を介して開口穴輪郭部とこれから切り離される開口穴閉塞部材とが連結されたカットアウト穴を有する板材において、
前記スリット穴の端部エッジを、前記連結部を切断する工具の刃を当該端部エッジにおける開口穴輪郭側コーナー部に導くガイドとして構成したことを特徴とする板材のカットアウト穴構造。
【請求項２】
前記スリット穴の端部エッジにおける前記開口穴輪郭側コーナー部の形状を接線に対し直角、又は鋭角とし、当該端部エッジにおける開口穴閉塞部材側コーナー部の形状をＲ形状としたことを特徴とする請求項１記載の板材のカットアウト穴構造。
【請求項３】
前記連結部の開口穴輪郭部側接線方向幅寸法Ｃを該連結部の開口穴閉塞部材側接線方向幅寸法Ｄよりも小さく設定したことを特徴とする請求項１又は請求項２記載の板材のカットアウト穴構造。
【発明の詳細な説明】
【技術分野】
【０００１】
本発明は、本体外郭が板金等の板材で構成された例えば天井埋込形空気調和機の室内機において、板材の開口穴を形成すべき位置に予め形成されるカットアウト穴構造に関するものである。
【背景技術】
【０００２】
例えば天井埋込形空気調和機の室内機のように本体外郭が板金等の板材で構成されたものにおいては、本体外郭に、ダクト取付けの際に使用する開口穴が必要である。そのため、本体外郭には、ダクト取付け位置に予めカットアウト穴（切抜用穴）が設けられている。
【０００３】
従来のカットアウト穴は、例えば形成すべき開口穴の輪郭形状に沿って予め複数のスリット穴が穿設され、スリット穴間に残存する連結部を介して開口穴輪郭部とこれから切り離される開口穴閉塞部材とが連結された構成を有する（例えば、特許文献１参照）。
【０００４】
また、従来の別のカットアウト穴構造として、形成すべき開口穴の輪郭形状に外縁側が沿うように形成した複数のスリット穴と、これらスリット穴間に形成した複数の連結部と、これら連結部を残して前記輪郭形状に沿うように剪断した剪断部とで構成したものがある（例えば、特許文献２参照）。
【先行技術文献】
【特許文献】
【０００５】
【特許文献１】特開昭５５−９２８３１号公報（第５図）
【特許文献２】特開平７−２０６１９５号公報（図２）
【発明の概要】
【発明が解決しようとする課題】
【０００６】
しかしながら、従来のカットアウト穴は、いずれも連結部を挟む隣接スリット穴の端部形状が半円状に形成され、この半円状の中間点を通る円弧を挟む径方向の内側と外側で対称の形状をしている。このため、スリット穴間の連結部をニッパー等の工具で切断して開口穴を形成する際、半円のＲが工具の刃のガイドとなり、また円弧の調心作用によって連結部間の最も距離の短い部分、つまり連結部を挟む隣接スリット穴の端部の半円状の中間点を通る円弧に沿って切断されることとなる。このため、切断部に開口穴内方に向かって突出するバリが形成される。バリ形状の角部は鋭利な形となるため、このバリによって据付工事時に作業者が手を切創する恐れがあった。
【０００７】
本発明の技術的課題は、カットアウト穴のスリット穴間の連結部を切断して開口穴を形成する際にバリが発生せず、据付工事時の安全性を高めることができるようにすることにある。
【課題を解決するための手段】
【０００８】
本発明に係る板材のカットアウト穴構造は、下記の構成からなるものである。すなわち、形成すべき開口穴の輪郭形状に沿って予め複数のスリット穴が穿設され、スリット穴間に残存する連結部を介して開口穴輪郭部とこれから切り離される開口穴閉塞部材とが連結されたカットアウト穴を有する板材において、スリット穴の端部エッジを、連結部を切断する工具の刃を当該端部エッジにおける開口穴輪郭側コーナー部に導くガイドとして構成したものである。
【発明の効果】
【０００９】
本発明に係る板材のカットアウト穴構造においては、スリット穴の端部エッジを、連結部を切断する工具の刃を当該端部エッジにおける開口穴輪郭側コーナー部に導くガイドとして構成したので、開口穴輪郭部から開口穴閉塞部材を切り離す際にバリが発生せず、据付工事時の安全性を高めることができる。
【図面の簡単な説明】
【００１０】
【図１】本発明の一実施の形態に係る板材のカットアウト穴構造を適用した天井埋込型空気調和機の室内機を下方より見た外観を示す斜視図である。
【図２】本発明の一実施の形態に係る板材のカットアウト穴構造を示す正面図である。
【図３】本発明の一実施の形態に係る板材のカットアウト穴構造から開口穴閉塞部材を切り離した後の開口穴の形状を示す正面図である。
【発明を実施するための形態】
【００１１】
図１は本発明の一実施の形態に係る板材のカットアウト穴構造を適用した天井埋込型空気調和機の室内機を下方より見た外観を示す斜視図、図２はそのカットアウト穴構造を示す正面図、図３はそのカットアウト穴構造から開口穴閉塞部材を切り離した後の開口穴の形状を示す正面図である。
【００１２】
本実施の形態の板材のカットアウト穴構造を適用した天井埋込型空気調和機の室内機は、図１のように天井に吊り具２１を介して吊下支持された複数の保持バー２２を格子状に組み込むことで形成される６００ミリ角の複数の正方形状の枡目にそれぞれ天井材２が嵌め込まれてなるグリッドシステム天井に、室内側の意匠面となる化粧パネル３を下面配置した室内機本体１が埋め込まれて設置される。室内機本体１は、外郭が板金部材４から構成され、ダクト取付け部の開口穴６にダクト５が設置されている。開口穴６は、当初、カットアウト穴として形成され、開口穴閉塞部材１０により開口面の大部分が覆われている。
【００１３】
カットアウト穴は、図２のように形成すべき開口穴６（図１，図３）の輪郭形状に沿って予め複数（ここでは４つ）のスリット穴７ａ〜７ｄが穿設され、スリット穴間に残存する連結部８ａ〜８ｄを介して開口穴輪郭部９とこれから切り離される開口穴閉塞部材１０とが連結された構成を有する。
【００１４】
また、カットアウト穴における各スリット穴７ａ〜７ｄの端部エッジは、各連結部８ａ〜８ｄを切断する工具の刃を当該端部エッジにおける開口穴輪郭側コーナー部１１に導くガイドとして構成されている。
【００１５】
すなわち、各連結部８ａ〜８ｄの開口穴輪郭部側接線方向幅寸法Ｃを、それぞれ各連結部８ａ〜８ｄの開口穴閉塞部材側接線方向幅寸法Ｄよりも小さく設定し、開口穴輪郭側コーナー部１１に向かって楔状にスリット幅間隔が狭まり、工具の刃がスリット穴の端部エッジにおいて内径側から外径側にスライドし、開口穴輪郭側コーナー部１１に導かれるようになっている。これにより、連結部で接線方向幅寸法が最も短い距離の部分を開口穴輪郭部と重なる切断部１２とすることができ、開口穴輪郭部９から開口穴閉塞部材１０を切り離す際にバリが発生せず、据付工事時の安全性を高めることができる。
【００１６】
また、各スリット穴７ａ〜７ｄの端部エッジにおける開口穴輪郭側コーナー部１１の形状（角度）Ｅ，Ｆを、接線に対し直角、又は鋭角とし、当該端部エッジにおける開口穴閉塞部材側コーナー部１３の形状を、Ｒ形状としている。これにより、開口穴閉塞部材側コーナー部１３のＲが工具の刃のガイドとなり、工具の刃がスリット穴の端部エッジの内径側から外径側にスライドし、開口穴輪郭側コーナー部１１に導かれるようになっている。これにより、連結部で接線方向幅寸法が最も短い距離の部分を開口穴輪郭部と重なる切断部１２とすることができ、開口穴輪郭部９から開口穴閉塞部材１０を切り離す際にバリが発生せず、据付工事時の安全性を高めることができる。
【００１７】
なお、ここでは（Ａ）連結部の開口穴輪郭部側接線方向幅寸法Ｃを連結部の開口穴閉塞部材側接線方向幅寸法Ｄよりも小さく設定するとともに、（Ｂ）開口穴輪郭側コーナー部１１の形状（角度）Ｅ，Ｆを、接線に対し直角、又は鋭角、当該端部エッジにおける開口穴閉塞部材側コーナー部１３の形状を、Ｒ形状として、（Ａ）（Ｂ）による相乗効果によってスリット穴端部エッジのガイド機能を強化したものを例に挙げて説明したが、（Ａ）のみの構成、あるいは（Ｂ）のみの構成としても、所期の目的を達成することができることはいうまでもない。
【００１８】
本実施の形態におけるカットアウト穴構造の実施例として、室内機本体１の外郭となる板金部材４の板厚を０．６mmとした場合、スリット穴間に残存する連結部８の開口穴輪郭部側接線方向幅寸法Ｃを３mm、開口穴閉塞部材側接線方向幅寸法Ｄを６mm、スリット穴７ａ，７ｂの端部エッジにおける各開口穴輪郭側コーナー部１１の角度Ｅ，Ｆをそれぞれ９０°、スリット穴７ａ，７ｂの端部エッジにおける開口穴閉塞部材側コーナー部１３のＲ形状を１．５mm、各スリット穴７ａ，７ｂの径方向幅寸法Ｇを３mmとすると、バリ形状の残らない開口穴６を形成することができた。
【符号の説明】
【００１９】
１  室内機本体、２  天井材、３  化粧パネル、４  板金部材（板材）、５  ダクト、６  開口穴、７ａ〜７ｄ  スリット穴、８ａ〜８ｄ  連結部、９  開口穴輪郭部、１０  開口穴閉塞部材、１１  開口穴輪郭側コーナー部、１２  切断部、１３  開口穴閉塞部材側コーナー部、２１  吊り具、２２  保持バー。
【図１】
2011089727.tif 000003
【図２】
2011089727.tif 000004
【図３】
2011089727.tif 000005